(57)【要約】【課題】  使用者の不安を解消するのに好適な線量計を提供する。【解決手段】  予測装置１００は、個人線量計２１０の測定値又は表示値を突発的に変化させる自然現象の発生を予測する予測部１０２と、予測部１０２で自然現象が発生することを予測したときは、インターネット１９９を介して所定の通知を個人線量計２１０に送信する送信部１０４とを備える。個人線量計２１０は、放射線量を測定する測定部２１２と、測定部２１２で測定した放射線量に基づいて放射線量情報を表示する表示部２１４と、予測装置１００から所定の通知を受信する受信部２１８と、受信部２１８で所定の通知を受信したときは、個人線量計２１０の測定値又は表示値の変化が自然現象によるものである旨を通知する予報通知部２２０とを備える。【選択図】  図１
2018028546.tif 000002
【特許請求の範囲】
【請求項１】
放射線量を測定する測定手段と、前記測定手段で測定した放射線量に基づいて放射線量情報を表示する表示手段とを備える線量計であって、
当該線量計の測定値又は表示値を突発的に変化させる自然現象の発生を予測又は観測する予観測手段と、前記予観測手段で前記自然現象が発生することを予測又は観測したときは所定の通知を送信する送信手段とを備える予観測装置と通信可能であり、
前記予観測装置から前記所定の通知を受信する受信手段と、
前記受信手段で前記所定の通知を受信したときは、当該線量計の測定値又は表示値の変化が自然現象によるものである旨を通知する通知手段とを備えることを特徴とする線量計。
【請求項２】
請求項１において、
前記自然現象は、太陽の活動現象であることを特徴とする線量計。
【請求項３】
請求項２において、
前記太陽の活動現象は、太陽フレア現象及び黒点活動により生じる高エネルギー粒子、陽子、電子、ガンマ線、Ｘ線又は電波が到来する現象であることを特徴とする線量計。
【請求項４】
請求項１乃至３のいずれか１項において、
前記自然現象は、雷、雷雲、雲内放電又は雲間放電であることを特徴とする線量計。
【請求項５】
請求項１乃至４のいずれか１項において、
前記自然現象は、オーロラであることを特徴とする線量計。
【請求項６】
放射線量を測定する測定手段と、前記測定手段で測定した放射線量に基づいて放射線量情報を表示する表示手段とを備える線量計であって、
当該線量計の測定値又は表示値を変化させる現象が発生する場所で当該線量計が受信可能となるように所定の通知を送信する通知装置と通信可能であり、
前記通知装置から前記所定の通知を受信する受信手段と、
前記受信手段で前記所定の通知を受信したときは、当該線量計の測定値又は表示値の変化が所定の現象によるものである旨を通知する通知手段とを備えることを特徴とする線量計。
【請求項７】
放射線量を測定する測定手段と、前記測定手段で測定した放射線量に基づいて放射線量情報を表示する表示手段とを備える線量計であって、
当該線量計の測定値又は表示値を変化させる現象の発生を予測又は観測する予観測手段と、前記予観測手段で前記現象が発生することを予測又は観測したときは所定の通知を送信する送信手段とを備える予観測装置と通信可能であり、
前記予観測装置から前記所定の通知を受信する受信手段と、
前記受信手段で前記所定の通知を受信したときは、当該線量計の測定値又は表示値の変化が所定の現象によるものである旨を通知する通知手段とを備えることを特徴とする線量計。
【請求項８】
請求項１乃至７のいずれか１項において、
前記測定手段で測定した放射線量又はその積算値が所定値以上となったときは、警告を通知する第２通知手段を備えることを特徴とする線量計。
【発明の詳細な説明】
【技術分野】
【０００１】
本発明は、放射線量を測定する線量計に係り、特に、使用者の不安を解消するのに好適な線量計に関する。
【背景技術】
【０００２】
２０１１年の福島第一原発の事故に起因して福島県を中心に、広範囲に放射性汚染及び環境の空間線量率の上昇が生じている。環境汚染のレベルは地域によって異なるが、汚染レベルと人体への影響を調査・探究するためには、住民の健康状態を長期間にわたって観察していく必要があると国は認識している。
【０００３】
そこで、放射性物質による環境汚染（以下、「放射能汚染」という。）の可能性のある地域又は施設に居住又は滞在した者を含み、人がその生活行動において被曝したであろう放射線の線量の蓄積推移の把握を希望する者（以下、「被曝放射線量評価対象者」という。）は、個人線量計をストラップ等で首から提げ常時携行し、自己の被曝放射線量を測定することにより健康状態を管理している。
【０００４】
従来の個人線量計としては、個人線量計が受ける放射線量を測定し、測定した放射線量を表示するものが知られている。また、測定した放射線量が所定値以上となったときは、警告を通知するものが知られている（特許文献１、２）。
【先行技術文献】
【特許文献】
【０００５】
【特許文献１】特開２００７−１０１４６７号公報
【特許文献２】特開２００６−３５０２３６号公報
【発明の概要】
【発明が解決しようとする課題】
【０００６】
しかしながら、従来の個人線量計及び特許文献１、２記載の線量計にあっては、太陽の活動現象（太陽フレア現象、黒点数の変化、コロナガス噴出現象）、雷、オーロラ等の自然現象が発生すると、周囲の放射線量が突発的に増加したり線量計の回路が影響を受けたりするなどして、線量計の表示値が一時的ではあるが急激に変化することが想定されるので、被曝放射線量評価対象者が不安を抱くという問題があった。
【０００７】
そこで、本発明は、このような従来の技術の有する未解決の課題に着目してなされたものであって、使用者の不安を解消するのに好適な線量計を提供することを目的としている。
【課題を解決するための手段】
【０００８】
〔発明１〕  上記目的を達成するために、発明１の線量計は、放射線量を測定する測定手段と、前記測定手段で測定した放射線量に基づいて放射線量情報を表示する表示手段とを備える線量計であって、当該線量計の測定値又は表示値を突発的に変化させる自然現象の発生を予測又は観測する予観測手段と、前記予観測手段で前記自然現象が発生することを予測又は観測したときは所定の通知を送信する送信手段とを備える予観測装置と通信可能であり、前記予観測装置から前記所定の通知を受信する受信手段と、前記受信手段で前記所定の通知を受信したときは、当該線量計の測定値又は表示値の変化が自然現象によるものである旨を通知する通知手段とを備える。
【０００９】
このような構成であれば、予観測装置では、予観測手段により、線量計の測定値又は表示値を突発的に変化させる自然現象が発生することが予測又は観測されると、送信手段により、所定の通知が送信される。
【００１０】
線量計では、測定手段により、放射線量が測定され、表示手段により、測定された放射線量に基づいて放射線量情報が表示される。そして、受信手段により、予観測装置から所定の通知を受信すると、通知手段により、線量計の測定値又は表示値の変化が自然現象によるものである旨が通知される。
【００１１】
ここで、通知手段の通知内容は、線量計の測定値又は表示値の変化が自然現象によるものである旨を直接的に表現したものであってもよいし、間接的に表現したものであってもよい。直接的な表現の場合は、例えば、「現在の変化は自然現象の影響です。」と表示することが考えられる。これに対し、間接的な表現の場合は、例えば、「現在の変化は問題ありません。」と表示することが考えられる。以下、発明６及び７の線量計において同じである。
【００１２】
〔発明２〕  さらに、発明２の線量計は、発明１の線量計において、前記自然現象は、太陽の活動現象である。
【００１３】
このような構成であれば、予観測装置では、予観測手段により、太陽の活動現象が発生することが予測又は観測されると、送信手段により、所定の通知が送信される。
【００１４】
線量計では、受信手段により、予観測装置から所定の通知を受信すると、通知手段により、線量計の測定値又は表示値の変化が自然現象によるものである旨が通知される。
【００１５】
〔発明３〕  さらに、発明３の線量計は、発明２の線量計において、前記太陽の活動現象は、太陽フレア現象及び黒点活動により生じる高エネルギー粒子、陽子、電子、ガンマ線、Ｘ線又は電波が到来する現象である。
【００１６】
〔発明４〕  さらに、発明４の線量計は、発明１乃至３のいずれか１の線量計において、前記自然現象は、雷、雷雲、雲内放電又は雲間放電である。
【００１７】
このような構成であれば、予観測装置では、予観測手段により、雷、雷雲、雲内放電又は雲間放電が発生することが予測又は観測されると、送信手段により、所定の通知が送信される。
【００１８】
線量計では、受信手段により、予観測装置から所定の通知を受信すると、通知手段により、線量計の測定値又は表示値の変化が自然現象によるものである旨が通知される。
【００１９】
〔発明５〕  さらに、発明５の線量計は、発明１乃至４のいずれか１の線量計において、前記自然現象は、オーロラである。
【００２０】
このような構成であれば、予観測装置では、予観測手段により、オーロラが発生することが予測又は観測されると、送信手段により、所定の通知が送信される。
【００２１】
線量計では、受信手段により、予観測装置から所定の通知を受信すると、通知手段により、線量計の測定値又は表示値の変化が自然現象によるものである旨が通知される。
【００２２】
〔発明６〕  さらに、発明６の線量計は、放射線量を測定する測定手段と、前記測定手段で測定した放射線量に基づいて放射線量情報を表示する表示手段とを備える線量計であって、当該線量計の測定値又は表示値を変化させる現象が発生する場所で当該線量計が受信可能となるように所定の通知を送信する通知装置と通信可能であり、前記通知装置から前記所定の通知を受信する受信手段と、前記受信手段で前記所定の通知を受信したときは、当該線量計の測定値又は表示値の変化が所定の現象によるものである旨を通知する通知手段とを備える。
【００２３】
このような構成であれば、通知装置では、線量計の測定値又は表示値を変化させる現象が発生する場所で線量計が受信可能となるように所定の通知が送信される。
【００２４】
線量計では、測定手段により、放射線量が測定され、表示手段により、測定された放射線量に基づいて放射線量情報が表示される。そして、受信手段により、通知装置から所定の通知を受信すると、通知手段により、線量計の測定値又は表示値の変化が所定の現象によるものである旨が通知される。
【００２５】
〔発明７〕  さらに、発明７の線量計は、放射線量を測定する測定手段と、前記測定手段で測定した放射線量に基づいて放射線量情報を表示する表示手段とを備える線量計であって、当該線量計の測定値又は表示値を変化させる現象の発生を予測又は観測する予観測手段と、前記予観測手段で前記現象が発生することを予測又は観測したときは所定の通知を送信する送信手段とを備える予観測装置と通信可能であり、前記予観測装置から前記所定の通知を受信する受信手段と、前記受信手段で前記所定の通知を受信したときは、当該線量計の測定値又は表示値の変化が所定の現象によるものである旨を通知する通知手段とを備える。
【００２６】
このような構成であれば、予観測装置では、予観測手段により、線量計の測定値又は表示値を変化させる現象が発生することが予測又は観測されると、送信手段により、所定の通知が送信される。
【００２７】
線量計では、測定手段により、放射線量が測定され、表示手段により、測定された放射線量に基づいて放射線量情報が表示される。そして、受信手段により、予観測装置から所定の通知を受信すると、通知手段により、線量計の測定値又は表示値の変化が所定の現象によるものである旨が通知される。
【００２８】
〔発明８〕  さらに、発明８の線量計は、発明１乃至７のいずれか１の線量計において、前記測定手段で測定した放射線量又はその積算値が所定値以上となったときは、警告を通知する第２通知手段を備える。
【００２９】
このような構成であれば、線量計では、測定された放射線量又はその積算値が所定値以上となると、第２通知手段により、警告が通知される。
【発明の効果】
【００３０】
以上説明したように、発明１の線量計によれば、使用者は、線量計の測定値又は表示値の変化が自然現象によるものであることを把握することができるので、線量計の測定値又は表示値を突発的に変化させる自然現象の影響を受けた放射線量情報をみたときの不安を低減することができるという効果が得られる。
【００３１】
さらに、発明２の線量計によれば、太陽の活動現象の影響を受けた放射線量情報をみたときの不安を低減することができるという効果が得られる。
【００３２】
さらに、発明４の線量計によれば、雷、雷雲、雲内放電又は雲間放電の影響を受けた放射線量情報をみたときの不安を低減することができるという効果が得られる。
【００３３】
さらに、発明５の線量計によれば、オーロラの影響を受けた放射線量情報をみたときの不安を低減することができるという効果が得られる。
【００３４】
さらに、発明６又は７の線量計によれば、使用者は、線量計の測定値又は表示値の変化が所定の現象によるものであることを把握することができるので、線量計の測定値又は表示値を変化させる現象の影響を受けた放射線量情報をみたときの不安を低減することができるという効果が得られる。
【００３５】
さらに、発明８の線量計によれば、使用者は、被曝放射線量が高いことを把握することができるという効果が得られる。
【図面の簡単な説明】
【００３６】
【図１】本実施の形態に係るシステムの全体構成の概要を示す図である。
【図２】個人線量計２１０の構成を示すブロック図である。
【図３】個人線量計２１０の動作を示すフローチャートである。
【発明を実施するための形態】
【００３７】
以下、本発明の実施の形態を説明する。
まず、本実施の形態に係るシステムの構成を説明する。
【００３８】
図１は、本実施の形態に係るシステムの全体構成の概要を示す図である。
被曝放射線量評価対象者２００は、図１に示すように、個人線量計２１０をストラップ等で首から提げ、常時携行している。ここで、被曝放射線量評価対象者２００は、狭義には放射能汚染の可能性のある地域又は施設に居住又は滞在した者を指すが、被曝放射線量評価対象者２００が識別カード等を所持することにより、差別等を受けることがないように、また、対照群として機能するように、放射能汚染の可能性のない地域の住民も対象者に含めてもよい。個人線量計２１０は、個人線量計２１０が受けた放射線量を測定するものであって、被曝放射線量評価対象者２００が密着携行していることから、個人線量計２１０で測定した放射線量は、被曝放射線量評価対象者２００が被曝した被曝放射線量と同等であるとみなすことができる。個人線量計２１０は、放射線量を測定することができればどのような方式・構造のものであってもよく、例えば、公知の個人線量計を採用することができる。
【００３９】
インターネット１９９には、個人線量計２１０の測定値又は表示値を突発的に変化させる自然現象（以下、特定自然現象という。）の発生を予測する予測装置１００と、個人線量計２１０とインターネット１９９との通信を中継する中継局１１０とが接続されている。
【００４０】
中継局１１０には、個人線量計２１０と無線通信を行う複数の基地局１２０が接続されている。個人線量計２１０がインターネット１９９に接続すると、中継局１１０は、基地局１２０を介して受信した個人線量計２１０からのデータをインターネット１９９を介して目的の端末に送信するとともに、インターネット１９９上にある目的の端末のデータを基地局１２０を介して個人線量計２１０に送信する。
【００４１】
予測装置１００は、特定自然現象の発生を予測する予測部１０２と、予測部１０２で特定自然現象が発生することを予測したときは、インターネット１９９を介して所定の通知を個人線量計２１０に送信する送信部１０４とを有して構成されている。特定自然現象のうち個人線量計２１０の測定値を突発的に変化させる自然現象とは、例えば、周囲の放射線量が突発的に増加するような自然現象をいう。これに対し、特定自然現象のうち個人線量計２１０の表示値を突発的に変化させる自然現象とは、周囲の放射線量に変化はさほどないが、例えば、電子線等により個人線量計２１０の回路が影響を受けて誤動作することにより個人線量計２１０の表示値が変化する自然現象をいう。特定自然現象としては、例えば、太陽の活動現象（太陽フレア現象、黒点数の変化、コロナガス噴出現象、太陽電波バースト現象、デリンジャー現象）、雷、オーロラが挙げられる。特定自然現象の予測方法は、例えば、公知の予測方法を採用することができる。例えば、太陽フレア現象については、太陽フレア現象の発生を観測すると、その所定時間後に周囲の放射線量が突発的に増加することが知られているので、太陽の観測結果に基づいて予測を行うことができる。黒点による影響についても、太陽の自転周期から、裏に隠れていた黒点が地球の側に再度現れるのが予測できる。コロナガス噴出現象、太陽電波バースト現象、デリンジャー現象についても同様である。
【００４２】
太陽の活動現象の予測については、情報通信研究機構（以下「ＮＩＣＴ」）の２０１１年２月１６日付けプレスリリースによれば、次のとおりである。
【００４３】
「ＮＩＣＴは、２０１１年２月１５日（火）１０時４４分（日本時間）に、大型の太陽フレア現象を確認しました。今回の太陽フレアに伴うX線強度は通常時の１００倍以上（最大時）であり、この規模の太陽フレア発生は、２００６年１２月以来となります。
【００４４】
一般に、大規模な太陽フレアが発生した場合には、それに伴う様々な環境変動が地球近傍の宇宙空間で生じます。これらの宇宙環境変動には、フレア発生直後（数分程度）に確認される変動と、数日かけて地球に到来してから確認される変動があります。前者については、ＮＩＣＴの観測により、太陽フレアによる太陽電波バースト現象と電離圏及び地磁気変動を確認しました。後者については、２月１７日（木）〜１８日（金）未明頃に地球に到来すると予想しています。
【００４５】
１）本日までに確認された現象
・太陽フレアに伴う太陽電波バースト現象
ＮＩＣＴの太陽監視望遠鏡により、大型の太陽フレア現象が確認されました。また、ＮＩＣＴの電波望遠鏡により、太陽フレアに伴うコロナ質量放出現象、及びその前面の衝撃波から発生したと考えられる電波を観測しました。
【００４６】
・太陽フレアに伴う電離圏現象（デリンジャー現象）
２）本太陽フレアに伴い、今後発生が予想される現象
・磁気嵐現象
地球周辺の宇宙環境が大規模に変動し、これに伴う地磁気の乱れや地球周辺の高エネルギー粒子の到来により、通信衛星や放送衛星などの人工衛星に障害が発生する可能性があります。また、オーロラ活動が活発になることがあります。
【００４７】
・電離圏嵐現象
電離圏の状態が変動し、短波通信等の無線通信への障害や、GPSを用いた高精度測位の精度が一時的に劣化する現象が生じる可能性があります。
【００４８】
ＮＩＣＴでは、太陽活動や宇宙環境変動の情報提供を長年にわたり行ってきました。２００８年１月頃から始まった第２４太陽活動サイクルは、これまでの太陽サイクルと比べ静穏でしたが、今回の現象により、今後の太陽活動は活発化に向かうと考えています。活発化に伴い、今回の現象のような宇宙環境が乱れた状態が発生しやすくなると考えています。」
予測装置１００は、例えば、ＣＰＵ（Central Processing Unit）、ＲＯＭ（Read Only Memory）、ＲＡＭ（Random Access Memory）及びＩ／Ｆ等をバス接続した一般的なコンピュータと同一機能を有して構成されている。予測部１０２は、ＣＰＵ及びＣＰＵが実行する処理として、送信部１０４は、ＣＰＵ、Ｉ／Ｆ及びＣＰＵが実行する処理として構成される。
【００４９】
次に、個人線量計２１０の構成を説明する。
図２は、個人線量計２１０の構成を示すブロック図である。
【００５０】
個人線量計２１０は、図２に示すように、放射線量を測定する測定部２１２と、測定部２１２で測定した放射線量に基づいて放射線量情報を表示する表示部２１４と、測定部２１２で測定した放射線量が所定値以上となったときは、警告を通知する警告通知部２１６とを有して構成されている。
【００５１】
放射線量情報としては、測定部２１２で測定した放射線量（単位時間当たりの値）、又は所定の測定開始時点から現在まで測定部２１２で測定した放射線量の積算値を含む。単位時間当たりの値又は積算値は、スイッチ等の操作手段（不図示）で表示を切り替えることができる。測定開始時点は、スイッチ等の操作手段（不図示）で任意に設定することができる。
【００５２】
個人線量計２１０は、さらに、予測装置１００から所定の通知を受信する受信部２１８と、受信部２１８で所定の通知を受信したときは、個人線量計２１０の測定値又は表示値の変化が自然現象によるものである旨の予報を通知する予報通知部２２０とを有して構成されている。
【００５３】
個人線量計２１０は、例えば、ＣＰＵ、ＲＯＭ、ＲＡＭ及びＩ／Ｆ等をバス接続した一般的なマイクロコンピュータと同一機能を有して構成されている。Ｉ／Ｆには、放射線を検出してパルス信号を出力する検出回路と、検出回路の出力信号をカウントするカウンタと、基地局１２０と無線通信を行う無線通信回路と、ＣＰＵからの画像信号に基づいて画面を表示するＬＣＤ（Liquid Crystal Display）とが接続されている。測定部２１２は、検出回路及びカウンタとして、表示部２１４は、ＣＰＵ、ＬＣＤ及びＣＰＵが実行する処理として、警告通知部２１６は、ＣＰＵ、ＬＣＤ及びＣＰＵが実行する処理として構成される。また、受信部２１８は、無線通信回路として、予報通知部２２０は、ＣＰＵ、ＬＣＤ及びＣＰＵが実行する処理として構成される。
【００５４】
次に、本実施の形態の動作を説明する。
図３は、個人線量計２１０の動作を示すフローチャートである。
【００５５】
個人線量計２１０では、図３に示すように、ステップＳ１００に移行して、測定部２１２が、単位時間当たりの放射線量を測定し、ステップＳ１０２に移行して、表示部２１４が、ステップＳ１００で測定した単位時間当たりの放射線量に基づいて放射線量情報を表示し、ステップＳ１０４に移行する。
【００５６】
ステップＳ１０４では、警告通知部２１６が、ステップＳ１００で測定した単位時間当たりの放射線量が所定値（例えば、ｘｘ[mSv/h]）以上となったか否かを判定し、所定値以上となったと判定したとき(YES)は、ステップＳ１０６に移行して、警告通知部２１６が、警告を通知し、ステップＳ１０８に移行する。警告の通知方法としては、例えば、「単位時間当たりの被曝放射線量が設定の上限値を超えました。」等のメッセージをＬＣＤに表示する。なお、所定値は、スイッチ等の操作手段（不図示）で任意に設定することができる。
【００５７】
一方、予測装置１００では、予測部１０２により、特定自然現象が発生することが予測されると、送信部１０４により、インターネット１９９を介して所定の通知が個人線量計２１０に送信される。
【００５８】
個人線量計２１０では、ステップＳ１０８において、受信部２１８が予測装置１００から所定の通知を受信したときは(YES)、ステップＳ１１０に移行して、予報通知部２２０が、個人線量計２１０の単位時間当たりの測定値又は表示値の変化が自然現象によるものである旨の予報を通知し、一連の処理を終了する。予報の通知方法としては、例えば、「まもなく単位時間当たりの測定値が突発的に増加しますが、これは、太陽フレア現象の影響であり、問題ありません。」等のメッセージをＬＣＤに表示する。
【００５９】
一方、ステップＳ１０８で、受信部２１８が所定の通知を受信しないときは(NO)は、一連の処理を終了する。
【００６０】
一方、ステップＳ１０４で、ステップＳ１００で測定した単位時間当たりの放射線量が所定値未満であると判定したとき(NO)は、ステップＳ１０８に移行する。
【００６１】
そして、個人線量計２１０は、電源が投入されている間、図３の動作を繰り返し実行する。
【００６２】
このようにして、本実施の形態では、個人線量計２１０は、単位時間当たりの放射線量を測定する測定部２１２と、測定部２１２で測定した単位時間当たりの放射線量に基づいて放射線量情報を表示する表示部２１４と、予測装置１００から所定の通知を受信する受信部２１８と、受信部２１８で所定の通知を受信したときは、個人線量計２１０の単位時間当たりの測定値又は表示値の変化が自然現象によるものである旨の予報を通知する予報通知部２２０とを備える。
【００６３】
これにより、被曝放射線量評価対象者２００は、個人線量計２１０の単位時間当たりの測定値又は表示値の変化が自然現象によるものであることを把握することができるので、特定自然現象の影響を受けた放射線量情報をみたときの不安を低減することができる。
【００６４】
さらに、本実施の形態では、個人線量計２１０は、測定部２１２で測定した単位時間当たりの放射線量が所定値以上となったときは、警告を通知する警告通知部２１６を備える。
【００６５】
これにより、被曝放射線量評価対象者２００は、単位時間当たりの被曝放射線量が多いことを把握することができる。
【００６６】
本実施の形態において、予測装置１００は、発明１の予観測装置に対応し、予測部１０２は、発明１の予観測手段に対応し、送信部１０４は、発明１の送信手段に対応し、個人線量計２１０は、発明１、２、４、５又は８の線量計に対応し、測定部２１２は、発明１又は８の測定手段に対応している。また、表示部２１４は、発明１の表示手段に対応し、警告通知部２１６は、発明８の第２通知手段に対応し、受信部２１８は、発明１の受信手段に対応し、予報通知部２２０は、発明１の通知手段に対応している。
【００６７】
なお、上記実施の形態においては、特定自然現象の発生を予測するように構成したが、これに限らず、特定自然現象の発生を観測するように構成することもできる。
【００６８】
また、上記実施の形態及びその変形例においては、個人線量計２１０の単位時間当たりの測定値又は表示値の変化が自然現象によるものである旨を特定自然現象の発生前に通知するように構成したが、これに限らず、特定自然現象の発生時又は発生後に通知するように構成することもできる。これに関連して、通知方法として、個人線量計２１０は、予測装置１００から所定の通知を受信するが、その時点では通知せず、測定部２１２で測定した単位時間当たりの放射線量が所定値以上となったときに、警告と同時に、個人線量計２１０の単位時間当たりの測定値又は表示値の変化が自然現象によるものである旨を通知するように構成することもできる。
【００６９】
また、上記実施の形態及びその変形例においては、測定部２１２で測定した単位時間当たりの放射線量が所定値以上となったときは、警告を通知するように構成したが、これに限らず、測定部２１２で測定した単位時間当たりの放射線量の積算値が所定値以上となったときは、警告を通知するように構成することもできる。積算値は、所定期間において測定した放射線量を積算した値であり、例えば、所定の測定開始時点から現在まで測定した放射線量を積算した値を採用することができる。
【００７０】
また、上記実施の形態及びその変形例においては、メッセージをＬＣＤに表示することにより警告を通知するように構成したが、これに限らず、ＬＥＤを点灯・点滅させ、スピーカから警告音を出力し、バイブレータを振動させ、発熱体を発熱させ、その他被曝放射線量評価対象者２００が知覚できる任意の方法により警告を通知するように構成することができる。個人線量計２１０の測定値又は表示値の変化が自然現象によるものである旨の通知についても同様である。
【００７１】
また、上記実施の形態及びその変形例においては、本発明を個人線量計２１０に適用したが、これに限らず、本発明の主旨を逸脱しない範囲で他の場合にも適用可能である。例えば、個人線量計２１０以外の線量計にも適用することができる。
【００７２】
また、上記実施の形態及びその変形例においては、雷を特定自然現象として取り扱ったが、これに限らず、雷雲、雲内放電又は雲間放電を特定自然現象として取り扱うこともできる。
【００７３】
また、上記実施の形態及びその変形例においては、太陽の活動現象として太陽フレア現象等を例示したが、より具体的には、太陽フレア現象及び黒点活動により生じる高エネルギー粒子、陽子、電子、ガンマ線、Ｘ線又は電波が到来する現象も考えられる。
【００７４】
また、上記実施の形態及びその変形例においては、特定自然現象の予測結果に基づいて通知を行うように構成したが、これに限らず、予測装置１００は、医療機器、電気器具、加速器、工場のプラント、ホットスポット等について、個人線量計２１０の測定値又は表示値を変化させる現象の発生を予測又は観測し、当該現象が発生することを予測又は観測したときは所定の通知を送信し、個人線量計２１０は、予測装置１００から所定の通知を受信したときは、個人線量計２１０の測定値又は表示値の変化が所定の現象によるものである旨を通知するように構成することもできる。また、予測装置１００に代えて、通知装置を用いる構成とすることもできる。すなわち、通知装置は、医療機器、電気器具、加速器、工場のプラント、ホットスポット等又はその付近で個人線量計２１０が受信可能となるように所定の通知を送信し、個人線量計２１０は、予測装置１００から所定の通知を受信したときは、個人線量計２１０の測定値又は表示値の変化が所定の現象によるものである旨を通知する。
【００７５】
また、上記実施の形態及びその変形例においては、インターネット１９９を介して予測装置１００が所定の通知を送信するように構成したが、これに限らず、ラジオ、ＦＭ多重、緊急放送、地デジのデータ放送、ワンセグのデータ放送等の放送によって所定の通知を送信するように構成することもできる。
【符号の説明】
【００７６】
１００…予測装置、  １０２…予測部、  １０４…送信部、  １１０…中継局、  １２０…基地局、  １９９…インターネット、  ２００…被曝放射線量評価対象者、  ２１０…個人線量計、  ２１２…測定部、  ２１４…表示部、  ２１６…警告通知部、  ２１８…受信部、  ２２０…予報通知部
【図１】
2018028546.tif 000003
【図２】
2018028546.tif 000004
【図３】
2018028546.tif 000005